(57)【要約】【課題】セルシートに施された装飾を視認する遊技者に新鮮な印象を与えることが可能なパチンコ遊技機を提供する。【解決手段】表側に遊技領域２５が形成されると共に、透過性を有し、表側から裏側を透かし見ることが可能な遊技板１０と、装飾３１が施されると共に、遊技板１０の裏側に、遊技板１０に対して相対的に移動可能に配置されるセルシート３０と、セルシート３０を移動させる駆動機構５０とを具備し、任意のタイミングでセルシート３０を移動させることで、当該セルシート３０に施された装飾３１を変化（移動）させ、遊技者に新鮮な印象を与える。【選択図】図５
2015042197.tif 000002
【特許請求の範囲】
【請求項１】
表側に遊技領域が形成される遊技板と、
装飾が施されると共に、前記遊技板の表側に、前記遊技板に対して相対的に移動可能に配置されるセルシートと、
前記セルシートを移動させる駆動機構とを具備することを特徴とする、パチンコ遊技機。
【請求項２】
表側に遊技領域が形成されると共に、透過性を有し、表側から裏側を透かし見ることが可能な遊技板と、
装飾が施されると共に、前記遊技板の裏側に、前記遊技板に対して相対的に移動可能に配置されるセルシートと、
前記セルシートを移動させる駆動機構とを具備することを特徴とする、パチンコ遊技機。
【発明の詳細な説明】
【技術分野】
【０００１】
本発明は、パチンコ遊技機の技術に関する。
【背景技術】
【０００２】
従来、遊技板の裏側にセルシートが設けられたパチンコ遊技機の技術は公知となっている。例えば、特許文献１に記載の如くである。
【０００３】
特許文献１に記載のパチンコ遊技機は、透明な遊技板（透明板）と、遊技板の背後に設けられるセルシート（装飾シート）と、を具備するものである。セルシートには絵柄が描かれており、遊技者は透明な遊技板を介して当該セルシートの絵柄を視認することができる。
【０００４】
しかしながら、特許文献１に記載の技術では、セルシートに施された装飾（絵柄）は何ら変化するものではなく単調であるため、遊技者に新鮮な印象を与えることが困難である点で不利であった。
【先行技術文献】
【特許文献】
【０００５】
【特許文献１】特開２００１−３１４５６８号公報
【発明の概要】
【発明が解決しようとする課題】
【０００６】
本発明は以上の如き状況に鑑みてなされたものであり、その解決しようとする課題は、セルシートに施された装飾を視認する遊技者に新鮮な印象を与えることが可能なパチンコ遊技機を提供することである。
【課題を解決するための手段】
【０００７】
本発明の解決しようとする課題は以上の如くであり、次にこの課題を解決するための手段を説明する。
【０００８】
即ち、請求項１においては、表側に遊技領域が形成される遊技板と、装飾が施されると共に、前記遊技板の表側に、前記遊技板に対して相対的に移動可能に配置されるセルシートと、前記セルシートを移動させる駆動機構とを具備するものである。
【０００９】
請求項２においては、表側に遊技領域が形成されると共に、透過性を有し、表側から裏側を透かし見ることが可能な遊技板と、装飾が施されると共に、前記遊技板の裏側に、前記遊技板に対して相対的に移動可能に配置されるセルシートと、前記セルシートを移動させる駆動機構とを具備するものである。
【発明の効果】
【００１０】
本発明の効果として、以下に示すような効果を奏する。
【００１１】
請求項１においては、装飾が施されたセルシートを移動させることで、当該装飾を視認する遊技者に新鮮な印象を与えることができる。
【００１２】
請求項２においては、装飾が施されたセルシートを移動させることで、当該装飾を視認する遊技者に新鮮な印象を与えることができる。
【図面の簡単な説明】
【００１３】
【図１】本発明の第一実施形態に係る遊技機の全体的な構成を示した正面図。
【図２】同じく、窓枠が開放された状態の構成を示した斜視図。
【図３】同じく、遊技盤の構成を示した正面図。
【図４】同じく、遊技板の構成を示した正面図。
【図５】同じく、遊技板に関する構成を示した分解斜視図。
【図６】（ａ）同じく、平面図。（ｂ）同じく、背面図。
【図７】（ａ）セルシートが左方に移動する様子を示した平面図。（ｂ）セルシートが右方に移動する様子を示した平面図。
【図８】（ａ）装飾が左方に移動する様子を示した正面図。（ｂ）装飾が右方に移動する様子を示した正面図。
【図９】（ａ）第二実施形態に係るセルシートが左方に移動した時に見える装飾の内容を示した正面図。（ｂ）同じく、セルシートが右方に移動した時に見える装飾の内容を示した正面図。
【図１０】（ａ）第三実施形態に係る遊技板に関する構成を示した平面図。（ｂ）同じく、背面図。
【図１１】（ａ）同じく、セルシートが略左方に移動する様子を示した平面図。（ｂ）同じく、セルシートが略右方に移動する様子を示した平面図。
【図１２】（ａ）第四実施形態に係る遊技板に関する構成を示した平面図。（ｂ）同じく、背面図。
【図１３】（ａ）同じく、セルシートが反時計回りに回転する様子を示した平面図。（ｂ）同じく、セルシートが時計回りに回転する様子を示した平面図。
【図１４】第五実施形態に係る遊技板に関する構成を示した平面断面拡大図。
【発明を実施するための形態】
【００１４】
まず、本発明に係るパチンコ遊技機の第一実施形態に係る遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１５】
遊技機１は、図１から図３が示すように、主として、外枠２と、中枠３と、窓枠４と、により構成される枠体に、各種の遊技部品が取り付けられて形成される。
【００１６】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１７】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１８】
窓枠４は、中央が開口された略平板状に形成される枠体である。窓枠４は、正面視で中枠３の下部を除く略全面に亘って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１９】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００２０】
遊技盤６は、遊技球が転動する領域である遊技領域２５が形成される部材である。遊技盤６は、窓枠４の後方であって、正面視で中枠３の下部を除く略全面に亘って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２１】
次に、遊技盤６の構成について、図３及び図４を用いてさらに詳細に説明する。
【００２２】
遊技盤６は、図３に示すように、遊技板１０と、ガイドレール１１と、センター役物１２と、図柄表示装置１３と、可変入賞装置１４と、大入賞装置１５と、アウト口１６等により構成される。
【００２３】
図３及び図４に示す遊技板１０は、四隅が適宜に切り欠かれた略平板状に形成される部材である。遊技板１０には、遊技盤６を構成する各種の遊技部品が取り付けられる。遊技板１０は、アクリル樹脂やポリカーボネート（ＰＣ）等の透過性を有する透明な部材によって形成される。
【００２４】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。遊技領域２５内において、遊技板１０には図示せぬ遊技釘が植設される。発射ハンドル１８の回動操作によって遊技領域２５内に放出された遊技球は、前記遊技釘に衝突しながら当該遊技領域２５内を下方へ向けて落下（転動）する。
【００２５】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に亘って形成される孔１０ａに前方から挿入され、ボルト等によって取り付けられる。
【００２６】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２７】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２８】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００２９】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００３０】
以下では、図５及び図６を用いて、遊技板１０に関する構成について説明する。
なお、図５以降においては、説明の便宜上、遊技板１０の形状を簡略化して図示している。
【００３１】
図５に示すように、遊技板１０の背後（後方）には、セルシート３０、シート支持枠４０及び駆動機構５０が設けられる。
【００３２】
セルシート３０は、遊技板１０を全体的に装飾すると共に、遊技板１０に取り付けられた部材の隙間に装飾を配置することで、その背後を遊技者から視認不可能となるように遮蔽するための部材である。セルシート３０は、肉薄なシート状に形成される。セルシート３０は、正面視において、遊技板１０と略同一形状となるように形成される。セルシート３０の前面（表側の面）には、装飾３１が施される。本実施形態において、装飾３１はセルシート３０の下部に施された「ＡＡＡ」の文字列からなるものとする。セルシート３０は、遊技板１０に固定されることなく、当該遊技板１０の裏側（すぐ後方）に配置される。これによって、遊技者側（表側）から遊技板１０を見ると、透明な遊技板１０を介してセルシート３０の装飾３１が視認できるため、遊技板１０に装飾３１が施されたように見える（図８参照）。
【００３３】
図５及び図６に示すシート支持枠４０は、セルシート３０を支持するための部材である。シート支持枠４０は、正面視矩形状の枠体（すなわち、正面視矩形板状の部材の中央部分を大きく開口させ、外周部のみを残した形状）となるように形成される。シート支持枠４０は、正面視において、セルシート３０の外周部の形状と略同一となるように形成される。シート支持枠４０の背面（裏側の面）の上端部には、左右方向に複数の歯が並べられたラックギア部４１が形成される。シート支持枠４０の前面には、セルシート３０の外周部が適宜の方法（例えば、ネジ等の締結具）によって固定される。このように、セルシート３０をシート支持枠４０に固定することで、当該セルシート３０をたるみ無く支持することができる。
【００３４】
駆動機構５０は、セルシート３０を移動させるためのものである。駆動機構５０は、シート支持枠４０の上端部の背後に配置される。駆動機構５０は、主としてモータ５１、出力軸５２及びピニオンギア５３を具備する。
【００３５】
モータ５１は、セルシート３０を移動させるための駆動源である。モータ５１は、シート支持枠４０の上端部の後上方に配置される。モータ５１は、図示せぬ制御手段に接続され、当該制御手段によってモータ５１の動作（回転方向や回転速度、回転するタイミング等）が制御される。
【００３６】
出力軸５２は、モータ５１の駆動力を取り出すための軸である。出力軸５２は、モータ５１の底面から下方に向けて設けられる。
【００３７】
ピニオンギア５３は、モータ５１からの駆動力をシート支持枠４０に伝えるためのものである。ピニオンギア５３は、出力軸５２の下端部に固定される。ピニオンギア５３は、シート支持枠４０のラックギア部４１に歯合される。
【００３８】
次に、図６から図８までを用いて、駆動機構５０によってセルシート３０を移動させる様子について説明する。
【００３９】
前記制御手段によってモータ５１が駆動されると、当該モータ５１の駆動力が出力軸５２を介してピニオンギア５３に伝達され、当該ピニオンギア５３が回転する。ピニオンギア５３が回転すると、当該ピニオンギア５３と歯合されたラックギア部４１を介してシート支持枠４０が左方又は右方へと移動する。
【００４０】
具体的には、ピニオンギア５３が平面視時計回りに回転した場合、シート支持枠４０は遊技板１０に対して左方へと移動する（図７（ａ）参照）。この場合、遊技者側から遊技板１０を見ると、当該遊技板１０に施された装飾３１が変化した（すなわち、左方へと移動した）ように見える（図８（ａ）参照）。
【００４１】
また、ピニオンギア５３が平面視反時計回りに回転した場合、シート支持枠４０は遊技板１０に対して右方へと移動する（図７（ｂ）参照）。この場合、遊技者側から遊技板１０を見ると、当該遊技板１０に施された装飾３１が変化した（すなわち、右方へと移動した）ように見える（図８（ｂ）参照）。
【００４２】
以上の如く、本実施形態に係る遊技機１（パチンコ遊技機）は、表側に遊技領域２５が形成されると共に、透過性を有し、表側から裏側を透かし見ることが可能な遊技板１０と、装飾３１が施されると共に、遊技板１０の裏側に、遊技板１０に対して相対的に移動可能に配置されるセルシート３０と、セルシート３０を移動させる駆動機構５０とを具備するものである。
このように構成することにより、セルシート３０を移動させることで、遊技板１０に施されたように見える装飾３１を変化（移動）させることができ、当該装飾３１を視認する遊技者に新鮮な印象を与えることができる。
また、セルシート３０が遊技板１０に対して固定されていないため、容易にセルシート３０を取り替えることができる。これによって、セルシート３０の装飾内容が異なる遊技機１を容易に製造することが可能となる。
【００４３】
なお、シート支持枠４０を移動させる（すなわち、装飾３１を変化させる）タイミングは、例えば予告を発生させる時、遊技機１の内部状態（大当り中、時短中、確変中等）が変化した時、演出に関するモードが特定のモードに変化した時、など、任意に設定することが可能である。
【００４４】
また、遊技板１０、セルシート３０、シート支持枠４０及び駆動機構５０の構成は、本実施形態に限るものではない。すなわち、セルシート３０を遊技板１０に対して相対的に移動可能とする構成であれば、その構成を限定するものではない。
【００４５】
また、セルシート３０に施される装飾３１は、本実施形態に限るものではない。すなわち、装飾３１は遊技者に所定の印象を与えると共に、当該装飾３１の背後に配置された遊技機１内部の構造を遊技者に視認されないように遮蔽するものである。従って、当該目的を達成できるものであれば、装飾３１が施される位置及び範囲、並びに装飾３１の内容を限定するものではない。例えば、装飾３１はセルシート３０の全面に亘って施すことも可能である。また、装飾３１は文字列ではなく、人物、動物、風景、記号等の任意のキャラクターや色彩であっても良い。
【００４６】
また、本実施形態においては、セルシート３０及びシート支持枠４０は正面視において遊技板１０と略同一形状となるように形成するものとしたが、本発明はこれに限るものではない。例えば、セルシート３０及びシート支持枠４０の左右幅を、遊技板１０の左右幅よりも小さく構成することも可能である。これによって、シート支持枠４０が左右に移動した際に、当該シート支持枠４０及びセルシート３０が遊技板１０から左右方向に突出するのを防止（又は、突出量を低減）することができる。
【００４７】
また、シート支持枠４０が左右に移動することによって、当該シート支持枠４０の左右両端部近傍の領域Ｘ（図７参照）では、当該シート支持枠４０及びセルシート３０が存在する状態と存在しない状態とが交互に切り換えられることになる。よって、当該領域Ｘが遊技領域２５の外側（セルシート３０による装飾が必要ない領域）に位置するように、セルシート３０及びシート支持枠４０を配置することが望ましい。
【００４８】
以下では、遊技板１０に関する構成の変形例について説明する。
まず、図９を用いて、第一の変形例（第二実施形態）について説明する。
【００４９】
第一実施形態（図８参照）においては、セルシート３０を移動させることで装飾３１を動かして変化を与えるものとしたが、第二実施形態においては、セルシート３０を移動させることで装飾３１の内容を別のものに変化させる。
【００５０】
具体的には、第二実施形態においては、セルシート３０にレンチキュラーを用いて装飾３１を施す。ここで、レンチキュラーとは、レンチキュラーレンズを用いて、見る角度によって装飾の内容が変化するように施される印刷物である。本実施形態においては、セルシート３０をやや右前方から視認すると、装飾３１は「ＡＡＡ」の文字列に見え、セルシート３０を左前方から視認すると、装飾３１は「ＢＢＢ」の文字列に見えるように構成する。
【００５１】
このような構成において、セルシート３０を左方へと移動させた場合、遊技者は「ＡＡＡ」の文字列からなる装飾３１を視認することができる（図９（ａ）参照）。一方、セルシート３０を右方へと移動させた場合、遊技者は「ＢＢＢ」の文字列からなる装飾３１を視認することができる（図９（ｂ）参照）。
【００５２】
このように、第一実施形態の如く装飾３１を移動させるだけではなく、当該装飾３１自体の内容を変化させる構成とすることも可能である。なお、装飾３１自体の内容を変化させる方法としては、第二実施形態のレンチキュラーを用いた方法に限定するものではない。例えば、セルシート３０を２枚用いて、前方に配置されたスリットが形成されたセルシート３０を移動させることで、後方に配置されたセルシート３０に施された装飾３１が動いているように見せる方法（いわゆる、スリットアニメーション）等も可能である。
【００５３】
このように、装飾３１自体の内容を変化させる構成とする場合、変化する装飾３１の内容及び変化するタイミングと、遊技機１の演出内容と、を関連させることで、より新鮮な印象を遊技者に与えることができる。
【００５４】
なお、第二実施形態の如く、見る角度によってセルシート３０の装飾３１の内容が変化する構成とする場合には、上下方向ではなく、左右方向に見る角度が変化した時に装飾３１の内容が変化するようにセルシート３０を遊技盤６に配置することが望ましい。
なぜならば、遊技機１がホールに設置された時には、当該遊技機１の高さと遊技者が着座する椅子の高さとの関係や、遊技者の座高の違い等によって、遊技者が遊技盤６を見る上下方向の角度が意図しない角度になるおそれがあるためである。このため、見る角度が上下方向に変化した時に装飾３１の内容が変化する構成とすると、前述の如く意図しない角度から遊技盤６（遊技板１０）が視認され、意図しない装飾３１の内容を遊技者に視認させてしまうおそれがある。
一方、通常、遊技者は右手で発射ハンドル１８を操作するため、当該遊技者の頭の位置は遊技盤６に対して真正面（遊技盤６の左右中央部の前方）又は当該真正面から少し右側にずれた位置にあることが多い。従って、遊技盤６を見る左右方向の角度は意図しない角度になり難い。そこで、左右方向に見る角度が変化した時に装飾３１の内容が変化するようにセルシート３０を遊技盤６に配置すると共に、通常時における装飾３１の内容（駆動機構５０が作動する前に遊技者に見せたい装飾３１の内容）が、遊技場６に対して真正面又は当該真正面から少し右側にずれた位置から見えるようにセルシート３０を配置することが望ましい。
【００５５】
また、第二実施形態においては、装飾３１は２つの内容（「ＡＡＡ」又は「ＢＢＢ」）に変化するものとしたが、本発明はこれに限るものではなく、３つ以上の内容に変化する構成とすることも可能である。また、単に装飾３１の内容が別の内容に変化するだけではなく、装飾３１の内容を徐々に変化させ、動いているように見せる構成とすることも可能である。
【００５６】
次に、図１０及び図１１を用いて、第二の変形例（第三実施形態）について説明する。
【００５７】
第一実施形態（図７参照）においては、セルシート３０を遊技板１０に対して平行（左右方向）に移動させる構成としたが、第三実施形態においては、遊技板１０に対するセルシート３０の角度が変化するように当該セルシート３０を移動させる。
【００５８】
具体的には、第三実施形態においては、遊技板１０に関する構成として、セルシート３０、シート支持枠１４０、駆動機構５０及び案内部材１６０が設けられる。セルシート３０及び駆動機構５０の構成は第一実施形態（又は、第二実施形態）に係るものと同一であるため、以下では説明を省略する。
【００５９】
シート支持枠１４０は、第一実施形態に係るシート支持枠４０に代わるものであり、セルシート３０を支持するための部材である。シート支持枠１４０は、第一実施形態に係るシート支持枠４０と同様に、正面視矩形状の枠体となるように形成される。シート支持枠１４０は、平面視において前方に突出してやや湾曲するように形成される。シート支持枠１４０の背面の上端部には、左右方向に複数の歯が並べられたラックギア部１４１が形成される。シート支持枠１４０の上面には、左右一対の案内軸１４２が上方に向けて設けられる。シート支持枠１４０の前面には、セルシート３０が固定される。
【００６０】
案内部材１６０は、シート支持枠１４０を所定の方向に移動するように案内するためのものである。案内部材１６０は、略矩形板状の部材である。案内部材１６０は、その板面を上下方向に向けた状態で、シート支持枠１４０の上方に配置される。案内部材１６０には、左右一対の案内孔１６１が形成される。案内孔１６１は、平面視において湾曲したシート支持枠１４０の形状に沿うように、略左右方向に長く形成される。案内孔１６１は、平面視においてシート支持枠１４０の案内軸１４２に対応する位置に形成され、左右一対の案内孔１６１には対応する案内軸１４２がそれぞれ挿通される。
【００６１】
このような構成において、前記制御手段によってモータ５１が駆動されると、ピニオンギア５３が回転する。ピニオンギア５３が回転すると、当該ピニオンギア５３と歯合されたラックギア部４１を介してシート支持枠１４０が案内孔１６１に沿うように略左方又は略右方へと移動する。
【００６２】
具体的には、ピニオンギア５３が平面視時計回りに回転した場合、シート支持枠１４０は案内孔１６１に沿って、遊技板１０に対して略左方へと移動する（図１１（ａ）参照）。また、ピニオンギア５３が平面視反時計回りに回転した場合、シート支持枠１４０は案内孔１６１に沿って、遊技板１０に対して略右方へと移動する（図１１（ｂ）参照）。
【００６３】
この第三実施形態のように、遊技板１０に対するセルシート３０の角度が変化するように、シート支持枠１４０（すなわち、セルシート３０）を移動させる構成とすることも可能である。このように構成することで、遊技者がセルシート３０を見る角度を大きく変化させることができる。これによって、特に、見る角度によって装飾３１の内容が変化するレンチキュラーをセルシート３０に用いた場合（第二実施形態参照）に、遊技者に対してより明確に装飾３１の内容が変化する様子を視認させることができる。
【００６４】
次に、図１２及び図１３を用いて、第三の変形例（第四実施形態）について説明する。
【００６５】
第一実施形態（図７参照）においては、セルシート３０を遊技板１０に対して平行（左右方向）に移動させる構成としたが、第四実施形態においては、遊技板１０に対するセルシート３０の角度が変化するように当該セルシート３０を移動させる。
【００６６】
具体的には、第四実施形態においては、遊技板１０に関する構成として、セルシート３０、シート支持枠２４０、駆動機構５０が設けられる。セルシート３０及び駆動機構５０の構成は第一実施形態（又は第二実施形態）に係るものと同一であるため、以下では説明を省略する。
【００６７】
シート支持枠２４０は、第一実施形態に係るシート支持枠４０に代わるものであり、セルシート３０を支持するための部材である。シート支持枠２４０は、第一実施形態に係るシート支持枠４０と同様に、正面視矩形状の枠体となるように形成される。シート支持枠２４０の上面の中央には、回動軸２４３が上方に向けて設けられる。当該回動軸２４３の上端部には、従動ギア２４４が固定される。従動ギア２４４は、駆動機構５０のピニオンギア５３と歯合される。
【００６８】
このような構成において、前記制御手段によってモータ５１が駆動されると、ピニオンギア５３が回転する。ピニオンギア５３が回転すると、当該ピニオンギア５３と歯合された従動ギア２４４及び回動軸２４３を介してシート支持枠２４０が移動（回転）する。
【００６９】
具体的には、ピニオンギア５３が平面視時計回りに回転した場合、シート支持枠２４０は平面視反時計回りに回転する（図１３（ａ）参照）。また、ピニオンギア５３が平面視反時計回りに回転した場合、シート支持枠２４０は平面視時計回りに回転する（図１３（ｂ）参照）。
【００７０】
この第四実施形態のように、シート支持枠２４０をその場で回転させて、遊技板１０に対するセルシート３０の角度が変化するように構成することも可能である。このように構成することで、遊技者がセルシート３０を見る角度を大きく変化させることができる。これによって、特に、見る角度によって装飾３１の内容が変化するレンチキュラーをセルシート３０に用いた場合（第二実施形態参照）に、遊技者に対してより明確に装飾３１の内容が変化する様子を視認させることができる。
【００７１】
次に、図１４を用いて、第四の変形例（第五実施形態）について説明する。
【００７２】
第一実施形態（図５参照）においては、セルシート３０を遊技板１０の裏側（後方）に配置する構成としたが、第五実施形態においては、セルシート３０に代わるセルシート３３０を遊技板１０の表側（前方）に配置する。
【００７３】
具体的には、図１４に示すように、遊技板１０のすぐ前方にセルシート３３０を配置する。セルシート３３０は、遊技板１０に取り付けられた部材の隙間に装飾を配置し、遊技板１０を全体的に装飾するための部材である。セルシート３３０は、第一実施形態と同様に、図示しないシート支持枠４０によって支持され、駆動機構５０によって左右方向に移動可能とされる。
【００７４】
但し、遊技板１０の表側には遊技球が転動する遊技領域２５が形成されているため、セルシート３３０が遊技領域２５に面した状態で左右方向に移動すると、遊技球の転動に影響を及ぼすおそれがあり好ましくない。そこで、図１４に示すように、セルシート３３０のさらに前方に、透明な固定シート３７０を配置する構成とすることが望ましい。固定シート３７０は遊技板１０に対して相対移動不能となるように固定される。このように構成することで、セルシート３３０が直接遊技領域２５の遊技球に接することがないため、当該遊技球の転動に影響を及ぼすことがない。
【００７５】
また、遊技領域２５においては、遊技板１０の前面に遊技釘２９が植設されている。当該遊技釘２９は固定シート３７０の前方から遊技板１０に打ち込まれるため、セルシート３３０に何ら手当てを施さなければ、当該セルシート３３０も遊技板１０に固定されて移動不能となる。そこで、図１４に示すように、セルシート３３０の遊技釘２９に対応する位置には、左右方向に長い長孔３３２を形成する。長孔３３２の長手方向（左右方向）長さは、セルシート３３０の左右方向の移動距離と略同一になるように形成される。これによって、セルシート３３０は遊技釘２９によって遊技板１０に固定されることなく、左右方向に移動可能となる。
【００７６】
以上の如く、本実施形態に係る遊技機１（パチンコ遊技機）は、表側に遊技領域２５が形成される遊技板１０と、装飾３１が施されると共に、遊技板１０の表側に、遊技板１０に対して相対的に移動可能に配置されるセルシート３０と、セルシート３０を移動させる駆動機構５０とを具備するものである。
このように構成することにより、セルシート３０を移動させることで、遊技板１０に施されたように見える装飾３１を変化（移動）させることができ、当該装飾３１を視認する遊技者に新鮮な印象を与えることができる。
【００７７】
なお、第五実施形態の如く、セルシート３３０を遊技板１０の表側に配置する場合には、遊技者は当該セルシート３３０を直接（遊技板１０を介さず）視認することができる。このため、遊技板１０を不透明な素材で構成することも可能となる。
【００７８】
また、上記各実施形態においては、セルシート３０を遊技板１０の裏側に配置する構成、及び表側に配置する構成について説明したが、本発明はこれに限るものではなく、セルシート３０を遊技板１０の裏側と表側の両方に配置する構成であっても良い。
【符号の説明】
【００７９】
１：遊技機，６：遊技盤，１０：遊技板，２５：遊技領域，３０：セルシート，３１：装飾，４０：シート支持枠，５０：駆動機構
【図１】
2015042197.tif 000003
【図２】
2015042197.tif 000004
【図３】
2015042197.tif 000005
【図４】
2015042197.tif 000006
【図５】
2015042197.tif 000007
【図６】
2015042197.tif 000008
【図７】
2015042197.tif 000009
【図８】
2015042197.tif 000010
【図９】
2015042197.tif 000011
【図１０】
2015042197.tif 000012
【図１１】
2015042197.tif 000013
【図１２】
2015042197.tif 000014
【図１３】
2015042197.tif 000015
【図１４】
2015042197.tif 000016